(57)【要約】【課題】時間を極力かけることなく、しかも、コストを抑えた簡易な構成にて、電源投入後の最初の除霜周期における冷却器の除霜を適切に実行する。【解決手段】電源投入時に温度検知手段によって検知される冷却器の温度に応じて、電源投入後の最初の除霜周期における除霜用設定時間を初期除霜用設定時間（Ｊ１またはＪ２）として設定する設定手段を備える。電源投入時に温度検知手段によって検知される冷却器の温度が所定温度Ｔよりも低い場合（ステップＳ１にて「ＹＥＳ」）に設定する初期除霜用設定時間Ｊ１を、冷却器の温度が所定温度Ｔよりも高い場合（ステップＳ１にて「ＮＯ」）に設定する初期除霜用設定時間Ｊ２よりも短くする。【選択図】図１
2010107116.tif 000002
【特許請求の範囲】
【請求項１】
庫内を冷却する冷却器と、
前記冷却器による前記庫内の冷却時間を積算する積算手段と、
前記積算手段によって積算された前記冷却時間の積算値が除霜用設定時間に到達するごとに周期的に前記冷却器の除霜を実行する除霜制御手段と、
前記冷却器の温度を検知する温度検知手段と、
電源投入時に前記温度検知手段によって検知される前記冷却器の温度に応じて、電源投入後の最初の除霜周期における前記除霜用設定時間を初期除霜用設定時間として設定する設定手段とを備え、
前記設定手段は、電源投入時に前記温度検知手段によって検知される前記冷却器の温度が所定温度よりも低い場合に設定する前記初期除霜用設定時間を、前記冷却器の温度が前記所定温度よりも高い場合に設定する前記初期除霜用設定時間よりも短くすることを特徴とする冷蔵庫。
【請求項２】
前記設定手段は、前記初期除霜用設定時間を、それ以降の除霜周期における前記除霜用設定時間よりも短く設定することを特徴とする請求項１記載の冷蔵庫。
【請求項３】
前記冷却器は、少なくとも２つ備えられていることを特徴とする請求項１または２に記載の冷蔵庫。
【発明の詳細な説明】
【技術分野】
【０００１】
本発明は、庫内の冷却時間の積算値に応じて冷却器の除霜を実行する冷蔵庫に関する。
【背景技術】
【０００２】
冷蔵庫の動作は、マイクロコンピュータを主体として構成された制御装置によって制御されており、庫内を冷却する冷却器の除霜運転についても、このような制御装置によって制御されている。
具体的には、制御装置は、冷却器による庫内の冷却時間を積算し、その積算値が予め設定された除霜用設定時間に到達すると、冷却器の除霜を実行するようになっている。このような除霜制御において、制御装置は、冷却時間の積算値が除霜用設定時間に到達すると、即ち、冷却器の除霜を実行すると、冷却時間の積算値を初期化するようになっている。従って、冷却器の除霜は、冷却時間の積算値が除霜用設定時間に到達するごとに周期的に実行されるようになっている。
【０００３】
ところで、このような構成の冷蔵庫において、例えば停電などが発生して冷蔵庫への給電が停止すると、制御装置への給電も停止することから、制御装置は、給電停止時までに積算した冷却時間の積算値を保持できなくなる。従って、給電が復帰した後において、制御装置は、冷却器の除霜を実行していないにもかかわらず、冷却器による庫内の冷却時間を初期状態から積算することとなる。この場合、冷却器の除霜が実行される周期（除霜周期）が実質的に延長されることとなるので、冷却器が過着霜状態となり易くなり、冷却不良の発生を招くおそれがある。
【０００４】
このような給電停止による不具合を解決することを目的として、例えば、特許文献１に記載の冷蔵庫は、冷却器の温度を検知する温度センサと、この温度センサからの信号をデジタルデータに変換して制御装置に出力するＡ／Ｄ変換回路とを備えている。そして、電源投入後（給電復帰後）に温度センサによって検知された温度の変化率に基づいて冷却器の着霜量を判定し、この判定結果に応じて、電源投入後の最初の除霜周期における除霜用設定時間を変化させるようになっている。
【特許文献１】特開平１−１３７１８４号公報
【発明の開示】
【発明が解決しようとする課題】
【０００５】
特許文献１に記載の冷蔵庫によれば、電源投入後（給電復帰後）の最初の冷却器の除霜を、電源投入時に判定された冷却器の着霜量に応じて実行することができ、冷却器が過着霜状態となることによる冷却不良の発生を防止することができる。
しかしながら、冷却器の着霜量を冷却器の温度の変化率に基づいて判定する場合、その変化率を得るために時間を要することから、着霜量の判定に時間がかかるという課題がある。また、冷却器の着霜量を判断するための回路構成（高精度の温度センサやＡ／Ｄ変換回路など）が必要であり、コスト高になるという課題もある。
【０００６】
本発明は上記事情に鑑みてなされたものであり、その目的は、時間を極力かけることなく、しかも、コストを抑えた簡易な構成にて、電源投入後の最初の除霜周期における冷却器の除霜を適切に実行することができる冷蔵庫を提供することにある。
【課題を解決するための手段】
【０００７】
上記した目的を達成するために、本発明の冷蔵庫は、庫内を冷却する冷却器と、前記冷却器による前記庫内の冷却時間を積算する積算手段と、前記積算手段によって積算された前記冷却時間の積算値が除霜用設定時間に到達するごとに周期的に前記冷却器の除霜を実行する除霜制御手段と、前記冷却器の温度を検知する温度検知手段と、電源投入時に前記温度検知手段によって検知される前記冷却器の温度に応じて、電源投入後の最初の除霜周期における前記除霜用設定時間を初期除霜用設定時間として設定する設定手段とを備え、前記設定手段は、電源投入時に前記温度検知手段によって検知される前記冷却器の温度が所定温度よりも低い場合に設定する前記初期除霜用設定時間を、前記冷却器の温度が前記所定温度よりも高い場合に設定する前記初期除霜用設定時間よりも短くすることに特徴を有する。
【発明の効果】
【０００８】
本発明の冷蔵庫によれば、電源投入後（給電復帰後）の最初の除霜周期における除霜用設定時間（初期除霜用設定時間）が、電源投入時における冷却器の温度に応じて設定される。この場合、初期除霜用設定時間は、電源投入時における冷却器の温度が所定温度よりも低い場合、即ち、冷却器の着霜量が多いと推定される場合の方が、電源投入時における冷却器の温度が所定温度よりも高い場合、即ち、冷却器の着霜量が少ないと推定される場合よりも短く設定される。
【０００９】
これにより、電源投入後（給電復帰後）の最初の除霜周期における冷却器の除霜を、電源投入時において推定される冷却器の着霜量に応じて適切に実行することができ、冷却器が過着霜状態となることによる冷却不良の発生を防止することができる。
また、冷却器の温度そのものに応じて初期除霜用設定時間を設定するように構成したので、冷却器の温度の変化率を得るための時間を不要とすることができる。また、冷却器の着霜量を判断するための回路構成を不要とすることができる。これにより、時間を極力かけることなく、しかも、コストを抑えた簡易な構成とすることができる。
【発明を実施するための最良の形態】
【００１０】
（第１の実施形態）
以下、本発明の第１の実施形態について図１ないし図３を参照しながら説明する。
図２は、冷蔵庫１の全体構成を概略的に示す縦断側面図である。冷蔵庫１の断熱箱体２は、鋼板製の外箱３とプラスチック製の内箱４との間に、例えば硬質ウレタンフォームや真空断熱材からなる断熱材５が充填された構成となっており、これにより、庫内と庫外とが断熱されている。断熱箱体２内（庫内）は、断熱仕切壁２ａによって仕切られており、下段が冷蔵室６、上段が冷凍室７となっている。これら冷蔵室６および冷凍室７の前面部には、ヒンジ開閉式の扉８および扉９がそれぞれ設けられている。
【００１１】
冷蔵室６の後壁面上部には、当該冷蔵室６内の温度を検出するための冷蔵室温度センサ１０とダンパ１１が設けられている。冷蔵室温度センサ１０は、先端部のガス圧が周囲の温度に応じて変化するようになっており、このガス圧の変化に基づいて冷蔵室６内の温度を検知するようになっている。ダンパ１１は、冷蔵室６の後壁面上部と後述する冷却室１３とを連通する冷蔵用ダクト１２の下端部に設けられている。このダンパ１１は、上記冷蔵室温度センサ１０のガス圧の変化を駆動源としており、冷蔵室６内の温度に応じて変化するガス圧を利用して冷蔵用ダクト１２の下端部の開口を開閉するように構成されている。
【００１２】
冷凍室７の後壁部には冷却室１３が設けられている。この冷却室１３内には、冷凍室７内の温度を検出するための冷凍室温度センサ１４と、庫内（冷蔵室６および冷凍室７）を冷却するための冷却器１５と、冷却ファン１６とが設けられている。冷却器１５の下部近傍には、当該冷却器１５に付着した霜を溶かすための除霜ヒータ１７が設けられている。また、冷却器１５には、当該冷却器１５の温度を検出するための冷却器温度センサ１８（温度検知手段に相当）が取り付けられている。
【００１３】
冷却ファン１６が駆動されると、冷却器１５によって生成された冷気が冷凍室７および冷蔵室６内に循環されるようになっている。この場合、冷却器１５によって生成された冷気は、冷却室１３から冷凍室７内に供給された後、冷凍室７の底部と冷却室１３とを連通する環気ダクト１９を通して冷却室１３の下部に戻されるようになっている。
【００１４】
また、冷却器１５によって生成された冷気は、冷蔵用ダクト１２を通って冷蔵室６内に供給された後、当該冷蔵室６の上部から環気ダクト１９を通して冷却室１３の下部に戻されるようになっている。このようにして、冷蔵室６および冷凍室７は、それぞれ設定された冷蔵温度および冷凍温度に冷却されるようになっている。なお、冷蔵室６内への冷気の供給量は、ダンパ１１による冷蔵用ダクト１２の開閉量に応じて制御されるようになっている。
【００１５】
図示しないが、冷蔵庫１内には、冷却器１５、コンプレッサ２０、凝縮器、アキュムレータ、キャピラリチューブなどを冷媒パイプによって閉ループ状に接続した冷凍サイクルが組み込まれている。この冷凍サイクルは、コンプレッサ２０の駆動により、冷媒が凝縮器を通った後、キャピラリチューブを通って冷却器１５に供給され、コンプレッサ２０に戻されるように構成されている。
【００１６】
冷蔵庫１の背面側（後面側）下部には機械室２１が設けられており、この機械室２１には、上記したコンプレッサ２０、凝縮器のほか、これらコンプレッサ２０および凝縮器を冷却するための冷却ファン（図示せず）などが配設されている。また、機械室２１内の上部には、制御装置２２（除霜制御手段，設定手段に相当）が配設されている。
【００１７】
この制御装置２２は、制御基板（図示せず）に搭載されたマイクロコンピュータを主体として構成されており、冷蔵庫１の動作全般を制御する制御手段として機能するようになっている。具体的には、図３に示すように、この制御装置２２には、上記した冷蔵室温度センサ１０、冷凍室温度センサ１４、冷却器温度センサ１８、タイマ２３（積算手段に相当）、庫内灯（図示せず）、扉８，９の開閉を検知するドアスイッチ（図示せず）などが接続されている。タイマ２３は、冷却器１５による庫内（冷蔵室６内，冷凍室７内）の冷却時間を積算するためのものである。
【００１８】
そして、制御装置２２は、これらセンサやスイッチなどから入力される各種信号や予め記憶された運転制御プログラムに従って、冷却ファン１６、除霜ヒータ１７、コンプレッサ２０などの駆動を制御するようになっている。また、制御装置２２は、タイマ２３によって積算された冷却時間の積算値が、後述する除霜用設定時間に到達するごとに、除霜ヒータ１７に通電して周期的に冷却器１５の除霜を実行するようになっている（除霜制御手段）。
【００１９】
次に、本実施形態の作用について図１を参照しながら説明する。図１は、制御装置２２による除霜制御の内容を示すフローチャートである。
冷蔵庫１の電源が投入されると、制御装置２２は、電源投入時における冷却器１５の温度を冷却器温度センサ１８によって検知し、当該冷却器温度センサ１８によって検知された冷却器１５の温度が、予め設定された所定温度Ｔ（この場合、１０℃）以下であるか否かを判断する（ステップＳ１）。検知された冷却器１５の温度が所定温度Ｔ以下である場合（ステップＳ１にて「ＹＥＳ」）、制御装置２２は、冷却器１５に着霜がある、或いは、着霜量が多いと判断し、ステップＳ２に移行して、初期除霜用設定時間Ｊ１（この場合、２．５時間）を設定する（設定手段）。一方、検知された冷却器１５の温度が所定温度Ｔよりも大きい場合（ステップＳ１にて「ＮＯ」）、制御装置２２は、冷却器１５に着霜がない、或いは、着霜量が少ないと判断し、ステップＳ３に移行して、初期除霜用設定時間Ｊ２（この場合、５時間）を設定する（設定手段）。
【００２０】
次に、制御装置２２は、ステップＳ４に移行して、タイマ２３によって積算された冷却時間の積算値Ｔｓが、設定した初期除霜用設定時間（Ｊ１またはＪ２）に到達したか否かを判断する。そして、冷却時間の積算値Ｔｓが初期除霜用設定時間（Ｊ１またはＪ２）に到達すると（ステップＳ４にて「ＹＥＳ」）、制御装置２２は、除霜ヒータ１７に通電して冷却器１５の初期除霜を実行する（ステップＳ５）。
【００２１】
初期除霜を終了すると、制御装置２２は、冷却時間の積算値Ｔｓを初期化し、その後、ステップＳ６に移行して、冷却時間の積算値Ｔｓが、予め設定された通常除霜用設定時間Ｊ３に到達したか否かを判断する。そして、冷却時間の積算値Ｔｓが通常除霜用設定時間Ｊ３に到達すると（ステップＳ６にて「ＹＥＳ」）、制御装置２２は、除霜ヒータ１７に通電して冷却器１５の除霜を実行する（ステップＳ７）。
【００２２】
冷却器１５の除霜を終了すると、制御装置２２は、冷却時間の積算値Ｔｓを初期化し、その後、再びステップＳ６に移行して、冷却時間の積算値Ｔｓが通常除霜用設定時間Ｊ３に到達したか否かを判断する。そして、冷却時間の積算値Ｔｓが再び通常除霜用設定時間Ｊ３に到達すると（ステップＳ６にて「ＹＥＳ」）、再び冷却器１５の除霜を実行する（ステップＳ７）。即ち、制御装置２２は、冷却時間の積算値Ｔｓが通常除霜用設定時間Ｊ３に到達するごとに冷却器１５の除霜を周期的に実行する通常安定状態に入る。
【００２３】
制御装置２２は、例えば停電などによって冷蔵庫１への給電停止が発生しなければ、上述したように周期的な除霜制御を継続する。ところが、例えば電源事情の劣悪な環境で冷蔵庫１を使用する場合では、上述の除霜制御実行中に停電が発生し冷蔵庫１への給電が停止する場合がある。
【００２４】
例えば、冷却時間の積算値Ｔｓが初期除霜用設定時間（Ｊ１またはＪ２）に到達する前（ステップＳ４にて「ＮＯ」）に、冷蔵庫１への給電停止が発生した場合（ステップＳ８にて「ＹＥＳ」）、制御装置２２は、給電の復旧に伴いステップＳ１に戻るようになっている。また、冷却時間の積算値Ｔｓが通常除霜用設定時間Ｊ３に到達する前（ステップＳ６にて「ＮＯ」）に、冷蔵庫１への給電停止が発生した場合（ステップＳ９にて「ＹＥＳ」）、制御装置２２は、給電の復旧に伴いステップＳ１に戻るようになっている。
【００２５】
このように、制御装置２２は、除霜制御中に冷蔵庫１への給電が停止した場合には、給電復帰後にステップＳ１に戻り、給電復帰後における冷却器１５の温度に応じて初期除霜用設定時間（Ｊ１またはＪ２）を設定するようになっている。なお、制御装置２２は、冷蔵庫１への給電が停止しなければ（ステップＳ８にて「ＮＯ」、或いは、ステップＳ９にて「ＮＯ」）、ステップＳ１に戻ることなく、そのまま、上述したように周期的な除霜制御を継続するようになっている。
【００２６】
以上に説明したように本実施形態によれば、電源投入後（給電復帰後）の最初の除霜周期における除霜用設定時間（初期除霜用設定時間Ｊ１，Ｊ２）が、電源投入時における冷却器１５の温度に応じて設定される。この場合、初期除霜用設定時間は、電源投入時における冷却器１５の温度が所定温度Ｔよりも低い場合、即ち、冷却器１５の着霜量が多いと推定される場合の方が、電源投入時における冷却器１５の温度が所定温度Ｔよりも高い場合、即ち、冷却器１５の着霜量が少ないと推定される場合よりも短く設定される。
【００２７】
これにより、電源投入後（給電復帰後）の最初の除霜周期における冷却器１５の除霜を、電源投入時において推定される冷却器１５の着霜量に応じて適切に実行することができ、冷却器１５が過着霜状態となることによる冷却不良の発生を防止することができる。
【００２８】
また、冷却器１５の着霜量が多いと推定される場合には、電源投入後の最初の冷却器１５の除霜が早期に行われることから、当該冷却器１５が過着霜状態となることを最優先に防止することができる。一方、冷却器１５の着霜量が少ないと推定される場合には、電源投入後の最初の冷却器１５の除霜が実行されるまでの時間を十分に確保することができ、電源投入後の初期冷却を十分に行うことができる。
【００２９】
また、冷却器１５の温度に基づいて演算される温度変化率ではなく、冷却器１５の温度そのものに応じて初期除霜用設定時間を設定するように構成したので、冷却器１５の温度の変化率を得るための時間を不要とすることができる。また、冷却器１５の着霜量を判断するための回路構成を不要とすることができる。これにより、時間を極力かけることなく、しかも、コストを抑えた簡易な構成とすることができる。
【００３０】
また、電源投入後の初期冷却時においては、冷却する庫内の空気は高温で湿度が高いことから、冷却器１５に霜が速く堆積し着霜量が多くなり易い。従って、電源投入後の初期除霜において冷却器１５に付着した霜を十分に取り除いておくことが、冷却器１５の過着霜の防止、ひいては、冷却不良の防止に対して有効である。
【００３１】
本実施形態では、制御装置２２は、電源投入後の最初の除霜周期における除霜用設定時間、即ち、初期除霜における除霜用設定時間（初期除霜用設定時間Ｊ１，Ｊ２）を、それ以降の除霜周期における除霜用設定時間、即ち、通常安定時の除霜周期における除霜用設定時間（通常除霜用設定時間Ｊ３）よりも短く設定するように構成した。
【００３２】
これにより、初期冷却時に冷却器１５に付着した霜を初期除霜によって十分に取り除いた後に、通常安定状態に入ることができる。従って、冷却器１５の過着霜の防止、ひいては、冷却不良の防止に有効であるとともに、通常安定時に冷却器１５をむやみに除霜する必要がなく、冷却器１５の除霜を必要以上に実行することによる庫内の温度上昇を抑えることができる。
【００３３】
（第２の実施形態）
以下、本発明の第２の実施形態につき、図４および図５を参照して説明する。上述の第１の実施形態では、冷却器を１つ備えた冷蔵庫１を示したが、本実施形態の冷蔵庫３１は、冷却器を２つ備えた構成となっている。
図４は、冷蔵庫３１の縦断側面図である。冷蔵庫３１の断熱箱体３２は、鋼板製の外箱３３とプラスチック製の内箱３４との間に、例えば硬質ウレタンフォームや真空断熱材からなる断熱材３５が充填された構成となっており、これにより、庫内と庫外とが断熱されている。断熱箱体３２内（庫内）は、複数の断熱仕切壁３２ａによって仕切られており、最上段が冷蔵室３６、最下段が冷凍室３７となっている。
【００３４】
図５にも示すように、冷蔵室３６と冷凍室３７との間には、左右方向に並ぶ小冷凍室３８および製氷室３９が設けられている。冷蔵室３６の前面部には、観音開き式の扉４０が設けられている。また、冷凍室３７，小冷凍室３８，製氷室３９の前面部には、それぞれ引き出し式の扉４１，扉４２，扉４３が設けられている。
【００３５】
図４に示すように、冷蔵室３６の左内壁面には、冷蔵温度や冷凍温度などを設定するためのコントロールパネル４４が設けられている。また、冷蔵室３６の後壁部には、冷蔵用冷却室４５が設けられている。冷蔵用冷却室４５内には、冷蔵室３６を冷却するための冷蔵用冷却器４６および冷蔵用冷却ファン４７が設けられている。冷蔵用冷却器４６の近傍には、当該冷蔵用冷却器４６に付着した霜を溶かすための冷蔵用冷却器除霜ヒータ４８が設けられている。また、冷蔵用冷却器４６には、当該冷蔵用冷却器４６の温度を検出するための冷蔵用冷却器温度センサ４９（温度検知手段に相当）が取り付けられている。
【００３６】
冷蔵用冷却ファン４７が駆動されると、冷蔵用冷却器４６により生成された冷気が冷蔵用冷却室４５から冷蔵室３６内に供給された後、冷蔵用冷却室４５に戻されるといった循環を行うようになっている。このようにして、冷蔵室３６は、設定された冷蔵温度に冷却されるようになっている。
【００３７】
冷凍室３７の後壁部には、冷凍用冷却室５０が設けられている。冷凍用冷却室５０内には、冷凍室３７，小冷凍室３８，製氷室３９を冷却するための冷凍用冷却器５１および冷凍用冷却ファン５２が設けられている。冷凍用冷却器５１の近傍には、当該冷凍用冷却器５１に付着した霜を溶かすための冷凍用冷却器除霜ヒータ５３が設けられている。また、冷凍用冷却器５１には、当該冷凍用冷却器５１の温度を検出するための冷凍用冷却器温度センサ５４（温度検知手段に相当）が取り付けられている。
【００３８】
冷凍用冷却ファン５２が駆動されると、冷凍用冷却器５１により生成された冷気が冷凍用冷却室５０から冷凍室３７，小冷凍室３８，製氷室３９内にそれぞれ供給された後、冷凍用冷却室５０に戻されるといった循環を行うようになっている。このようにして、冷凍室３７，小冷凍室３８，製氷室３９は、設定された冷凍温度にそれぞれ冷却されるようになっている。
【００３９】
冷蔵庫３１の背面側（後面側）下部の機械室５５には、冷蔵庫３１の動作全般を制御する制御装置５６（除霜制御手段，設定手段に相当）が配設されている。この制御装置５６は、冷蔵用冷却器４６の除霜制御および冷凍用冷却器５１の除霜制御を、それぞれ、上述した第１の実施形態と同様に行うようになっている。
【００４０】
即ち、制御装置５６は、電源投入時に冷蔵用冷却器温度センサ４９，冷凍用冷却器温度センサ５４によって検知される冷蔵用冷却器４６，冷凍用冷却器５１の温度が、予め設定された所定温度よりも低い場合に設定する初期除霜用設定時間を、冷蔵用冷却器４６，冷凍用冷却器５１の温度が所定温度よりも高い場合に設定する初期除霜用設定時間よりも、それぞれ短くするようになっている。また、制御装置５６は、２つの冷却器４６，５１について、それぞれの初期除霜用設定時間を、それ以降の除霜周期における除霜用設定時間よりも短く設定するようになっている。
【００４１】
本実施形態によれば、冷却器を２つ備えていることから、冷却器を１つだけ備えた冷蔵庫に比べ、冷却器１つあたりの着霜量が少なくなり、冷却器４６，５１が過着霜状態になり難くなる。また、これら冷却器４６，５１の着霜量が少なくなることから、電源投入時（給電復帰時）における冷却器４６，５１の温度は所定温度よりも大きい場合が多い。従って、２つの冷却器４６，５１について、それぞれの初期除霜用設定時間を長く設定することができ、これら冷却器４６，５１による初期冷却を十分に行うことができる。
【００４２】
（その他の実施形態）
なお、本発明は、上述の各実施形態にのみ限定されるものではなく、次のように変形または拡張することができる。
所定時間、初期除霜用設定時間、通常除霜用設定時間などは適宜変更して実施することができる。
庫内の温度を検知する温度センサ（上述の冷凍室温度センサ１４など）によって検知される庫内の温度に応じて、冷却器の着霜の有無、或いは、着霜量を間接的に判断し、その判断結果に応じて初期除霜用設定時間を設定するようにしてもよい。
【００４３】
本発明は、冷却器を２つ以上備えた冷蔵庫にも適用できる。また、本発明は、上述した冷蔵庫１や冷蔵庫３１のように冷蔵機能および冷凍機能を備えた冷蔵庫のみならず、冷蔵専用機や冷凍専用機にも適用することができる。
【図面の簡単な説明】
【００４４】
【図１】本発明の第１の実施形態を示すものであり、制御装置による除霜制御の内容を示すフローチャート
【図２】冷蔵庫の全体的構成を概略的に示す縦断側面図
【図３】冷蔵庫の電気的構成を概略的に示すブロック図
【図４】本発明の第２の実施形態を示す図２相当図
【図５】冷蔵庫の正面図
【符号の説明】
【００４５】
図面中、１，３１は冷蔵庫、１５は冷却器、１８は冷却器温度センサ（温度検知手段）、２２，５６は制御装置（除霜制御手段、設定手段）、２３はタイマ（積算手段）、４６は冷蔵用冷却器、４９は冷蔵用冷却器温度センサ（温度検知手段）、５１は冷凍用冷却器、５４は冷凍用冷却器温度センサ（温度検知手段）を示す。
【図１】
2010107116.tif 000003
【図２】
2010107116.tif 000004
【図３】
2010107116.tif 000005
【図４】
2010107116.tif 000006
【図５】
2010107116.tif 000007